(57)【要約】【課題】  遮断対象箇所が大スパンやコーナー部を有するものであって、遮断対象箇所全体を完全に遮断することができる防火スクリーン装置を提供する。【解決手段】  第１の幕体３及び第２の幕体７を横並びに設け、両幕体３、７を第１の巻取り軸２及び第２の巻取り軸６に巻回し、両巻取り軸２、６の回転により、繰り出し、巻取り可能とする。第１の幕体３の幅方向の端部に所定の間隔ごとに雌部１１を設け、第２の幕体７の幅方向の端部に所定の間隔ごとに雌部１１と嵌合可能な雄部１２を設け、連結手段１０を構成する。雌部１１と雄部１２とは、両幕体３、７の長手方向に相対的に移動可能、両幕体３、７の長手方向と直交する方向に相対的に回動可能に構成される。両幕３、７間をずれ等が生じることなく連結手段１０により連結できるので、大スパンやコーナー部を含む遮断対象箇所を完全に遮断することができる。【選択図】    図３
2005188149.tif 000002
【特許請求の範囲】
【請求項１】
遮断対象箇所に対応する部分に少なくとも２枚の幕体が横並びに設けられ、各幕体がそれぞれ繰り出し、巻取り可能に構成される防火スクリーン装置であって、
隣接する一方の幕体の幅方向の端部と隣接する他方の幕体の幅方向の端部との間に連結手段を設け、両幕体の繰り出しに追従して両幕体間が前記連結手段を介して順次連結されるとともに、両幕体間が連結手段により連結された状態で、両幕体の繰り出し方向又は巻取り方向に相対的に移動可能としたことを特徴とする防火スクリーン装置。
【請求項２】
前記幕体間が連結手段により連結された状態で、両幕体の繰り出し方向又は巻取り方向に直交する方向に相対的に回動可能としたことを特徴とする請求項１に記載の防火スクリーン装置。
【請求項３】
前記連結手段は、隣接する一方の幕体の幅方向の端部に長手方向に沿って所定の間隔ごとに設けられる雌部と、隣接する他方の幕体の幅方向の端部に長手方向に沿って所定の間隔ごとに設けられるとともに、前記雌部と相互に嵌合可能な雄部とからなり、前記雌部と前記雄部とが嵌合した状態で、両者を前記両幕体の繰り出し方向又は巻取り方向に相対的に移動可能としたことを特徴とする請求項１または２に記載の防火スクリーン装置。
【請求項４】
前記連結手段は、隣接する一方の幕体の幅方向の端部に長手方向に沿って所定の間隔ごとに設けられる雌部と、隣接する他方の幕体の幅方向の端部に長手方向に沿って所定の間隔ごとに設けられるとともに、前記雌部と相互に嵌合可能な雄部とからなり、前記雌部と前記雄部とが嵌合した状態で、両者を前記両幕体の繰り出し方向又は巻取り方向に直交する方向に相対的に回動可能としたことを特徴とする請求項１〜３のいずれかに記載の防火スクリーン装置。
【請求項５】
前記両幕体間の端部に対応する部分に、連結手段の雌部と雄部との嵌合、嵌合解除を行なうスライダーを設けたことを特徴とする請求項１〜４のいずれかに記載の防火スクリーン装置。
【請求項６】
前記連結手段は、連結部分を保護する保護部を幕体の幅方向の端部に長手方向に添って片面又は両面に設けたことを特徴とする請求項１〜５のいずれかに記載の防火スクリーン装置。
【請求項７】
前記各幕体は、それぞれ正逆転可能に設けられる別個の巻取り軸に巻回され、各巻取り軸の正回転又は逆回転により各幕体が各巻取り軸から繰り出され又は各巻取り軸に巻き取られ、かつ、各巻取り軸が同調して回転するように構成されていることを特徴とする請求項１〜６のいずれかに記載の防火スクリーン装置。
【請求項８】
前記各巻取り軸を天井部分に設けるとともに、前記各幕体の下端部にウエイトバーを設け、該ウエイトバーの重量により各巻取り軸を正回転又は逆回転させて、各巻取り軸から各幕体を繰り出されるように構成したことを特徴とする請求項７に記載の防火スクリーン装置。
【請求項９】
隣接する一方の巻取り軸を天井部分に設けるとともに、該巻取り軸に巻回される幕体の下端部にウエイトバーを設け、該ウエイトバーを延出させて該延出部に隣接する他方の巻取り軸を設け、該巻取り軸に巻回される幕体の上端部を天井部分に固定したことを特徴とする請求項７に記載の防火スクリーン装置。
【請求項１０】
前記各巻取り軸を天井部分に設けるとともに、隣接する一方の巻取り軸に巻回される幕体の下端部にウエイトバーを設けて、該ウエイトバーを延出させて該延出部に折返しローラーを設け、さらに、隣接する他方の巻取り軸に巻回される幕体の下端部を前記折返しローラーを巻回させて天井部分に固定したことを特徴とする請求項７に記載の防火スクリーン装置。
【発明の詳細な説明】
【技術分野】
【０００１】
本発明は、防火スクリーン装置（防煙機能を有するものも含む）に関し、特に、建物の通路、空間部分等の遮断対象箇所のうち、大スパンの遮断対象箇所、コーナー部を含む遮断対象箇所を遮断するのに有効な防火スクリーン装置に関するものである。
【背景技術】
【０００２】
建物の内部には、従来から火災時に備えて、火炎や煙を遮断するための防火隔壁や防火シャッター等の防火設備が配備されており、近年では、これらの防火隔壁や防火シャッター等に代わる防火設備として、不燃性、耐火性を有する幕体を使用して火炎や煙を遮断するようにした防火スクリーン装置が提案されている。
【０００３】
防火スクリーン装置は、天井部分に巻取り軸を正逆回転可能に設置し、この巻取り軸に幕体を巻回させてロール状に形成し、火災発生時に巻取り軸を正回転又は逆回転させることにより幕体を下方に繰り出し、建物の通路、空間部分等を遮断するように構成されている。
【０００４】
このような構成の防火スクリーン装置は、遮断対象箇所が小スパンの平面部のみからなるものである場合には、幕体によって遮断対象箇所を完全に遮断することができるが、遮断対象箇所が大スパンの平面部、又は平面部とコーナー部との組合せからなるものである場合には、１枚の幕体で遮断対象箇所を完全に遮断することはできない。
【０００５】
このため、複数の幕体を利用し、大スパンの途中やコーナー部に対応する部分にレールポストを設置し、このレールポストによって複数の幕体の端部を支持し、隣接する幕体間に形成される隙間を塞いでいる。しかし、このような方法では、レールポストの存在によって空間の自由度が阻害されるとともに、美観も阻害されてしまう。
【０００６】
一方、隣接する一方の幕体の幅方向の端部及び他方の幕体の幅方向の端部にそれぞれファスナーを固着させ、これらのファスナーを互いに噛合させることにより、両幕体間に形成される隙間を塞ぐように構成した方法が提案されている（特許文献１参照）。
【０００７】
このような方法にあっては、大スパンの途中やコーナー部にレールポストを設置する必要がないので、空間の自由度が阻害されることがなく、また、美観が阻害されることもない。しかし、両ファスナーの噛合状態によって両幕体間に形成される隙間の閉塞状態が影響を受けるため、常に両幕体間に形成される隙間を完全に閉塞できるとは限らない。また、コーナー部においては、ファスナーが湾曲した状態で位置することになるので、ファスナーの噛合い状態がさらに不安定となり、両幕体間の隙間を完全に閉塞することが困難になる。
【特許文献１】特許第２９３６４７８号公報
【発明の開示】
【発明が解決しようとする課題】
【０００８】
本発明は、上記のような従来の問題に鑑みなされたものであって、遮断対象箇所が大スパンや平面部とコーナー部とを組み合わせたものであっても、空間の自由度が阻害されることなく、また、美観が阻害されることなく、遮断対象箇所全体を完全に遮断することができる防火スクリーン装置を提供することを目的とするものである。
【課題を解決するための手段】
【０００９】
本発明は、上記のような課題を解決するために、以下のような手段を採用している。
【００１０】
すなわち、請求項１に係る発明は、遮断対象箇所に対応する部分に少なくとも２枚の幕体が横並びに設けられ、各幕体がそれぞれ繰り出し、巻取り可能に構成される防火スクリーン装置であって、隣接する一方の幕体の幅方向の端部と隣接する他方の幕体の幅方向の端部との間に連結手段を設け、両幕体の繰り出しに追従して両幕体間が前記連結手段を介して順次連結されるとともに、両幕体間が連結手段により連結された状態で、両幕体の繰り出し方向又は巻取り方向に相対的に移動可能としたことを特徴とする。  
本発明による防火スクリーン装置によれば、両幕体の繰り出しに追従して両幕体間が連結手段を介して順次連結され、両幕体間が閉塞される。この場合、両幕体間は、連結手段により連結された状態で両幕体の繰り出し方向又は巻取り方向に相対的に移動可能となっているので、両幕体間にずれが生じるようなことはなく、両幕体間を完全に閉塞することができる。
【００１１】
請求項２に係る発明は、請求項１に記載の防火スクリーン装置であって、前記幕体間が連結手段により連結された状態で、両幕体の繰り出し方向又は巻取り方向に直交する方向に相対的に回動可能としたことを特徴とする。  
本発明による防火スクリーン装置によれば、両幕体間は、連結手段により連結された状態で、両幕体の繰り出し方向又は巻取り方向と直交する方向に相対的に回動可能となっているので、遮断対象箇所がコーナー部を含むものであっても、そのコーナー部の角度に両幕体間の角度を追従させることができるので、コーナー部を含む遮断対象箇所であっても、両幕体間を完全に閉塞することができる。
【００１２】
請求項３に係る発明は、請求項１または２に記載の防火スクリーン装置であって、前記連結手段は、隣接する一方の幕体の幅方向の端部に長手方向に沿って所定の間隔ごとに設けられる雌部と、隣接する他方の幕体の幅方向の端部に長手方向に沿って所定の間隔ごとに設けられるとともに、前記雌部と相互に嵌合可能な雄部とからなり、前記雌部と前記雄部とが嵌合した状態で、両者を前記両幕体の繰り出し方向又は巻取り方向に相対的に移動可能としたことを特徴とする。  
本発明による防火スクリーン装置によれば、連結手段の雄部と雌部とが相互に嵌合することにより、両幕体間が連結され、両幕体間の隙間が閉塞される。この場合、雄部と雌部とが嵌合した状態で、両者は両幕体の繰り出し方向又は巻取り方向に相対的に移動可能となっているので、両幕体間にずれが生じるようなことはなく、両幕体間を完全に閉塞することができる。
【００１３】
請求項４に係る発明は、請求項１〜３のいずれかに記載の防火スクリーン装置であって、前記連結手段は、隣接する一方の幕体の幅方向の端部に長手方向に沿って所定の間隔ごとに設けられる雌部と、隣接する他方の幕体の幅方向の端部に長手方向に沿って所定の間隔ごとに設けられるとともに、前記雌部と相互に嵌合可能な雄部とからなり、前記雌部と前記雄部とが嵌合した状態で、両者を前記両幕体の繰り出し方向又は巻取り方向に直交する方向に相対的に回動可能としたことを特徴とする。  
本発明による防火スクリーン装置によれば、連結手段の雄部と雌部とが相互に嵌合することにより、両幕体間が連結され、両幕体間の隙間が閉塞される。この場合、雄部と雌部とが嵌合した状態で、両者は両幕体の繰り出し方向又は巻取り方向に直交する方向に相対的に回動可能となっているので、遮断対象箇所がコーナー部を含むものであっても、そのコーナー部の角度に両幕体間の連結角度を追従させることができるので、コーナー部を含む遮断対象箇所であっても、両幕体間を完全に閉塞することができる。
【００１４】
請求項５に係る発明は、請求項１〜４のいずれかに記載の防火スクリーン装置であって、前記両幕体間の端部に対応する部分に、連結手段の雌部と雄部との嵌合、嵌合解除を行なうスライダーを設けたことを特徴とする。  
本発明による防火スクリーン装置によれば、両幕体間の端部に対応する部分に設けられるスライダーにより、連結手段の雌部と雄部とが相互に嵌合されて両幕体間が連結され、又は嵌合状態が解除されて両幕体間が分離されることになる。
【００１５】
請求項６に係る発明は、請求項１〜５のいずれかに記載の防火スクリーン装置であって、前記連結手段は、連結部分を保護する保護部を幕体の幅方向の端部に長手方向に添って片面又は両面に設けたことを特徴とする。  
本発明による防火スクリーン装置によれば、連結部分を保護する保護部を幕体の幅方向の端部に長手方向に添って片面又は両面から被覆するように設けることにより、両幕体間の隙間が閉塞されて火炎、煙等を効果的に遮断することができる。
【００１６】
請求項７に係る発明は、請求項１〜６のいずれかに記載の防火スクリーン装置であって、前記各幕体は、それぞれ正逆転可能に設けられる別個の巻取り軸に巻回され、各巻取り軸の正回転又は逆回転により各幕体が各巻取り軸から繰り出され又は各巻取り軸に巻き取られ、かつ、各巻取り軸が同調して回転するように構成されていることを特徴とする。  
本発明による防火スクリーン装置によれば、各巻取り軸の正回転又は逆回転により、各巻取り軸から各幕体が繰り出され、この繰り出しに追従して両幕体間が連結手段を介して連結され、又は各巻取り軸に各幕体が巻き取られ、この巻取りに追従して両幕体感の連結手段による連結状態が解除されることになる。この場合、各巻取り軸は同調して回転するように構成されているので、両幕体間にずれが生じるのが防止されることになる。
【００１７】
請求項８に係る発明は、請求項７に記載の防火スクリーン装置であって、前記各巻取り軸を天井部分に設けるとともに、前記各幕体の下端部にウエイトバーを設け、該ウエイトバーの重量により各巻取り軸を正回転又は逆回転させて、各巻取り軸から各幕体を繰り出されるように構成したことを特徴とする。  
本発明による防火スクリーン装置によれば、各巻取り軸は、ウエイトバーの重量を受けることにより正回転又は逆回転し、各巻取り軸から各幕体が繰り出されることになる。
【００１８】
請求項９に係る発明は、請求項７に記載の防火スクリーン装置であって、隣接する一方の巻取り軸を天井部分に設けるとともに、該巻取り軸に巻回される幕体の下端部にウエイトバーを設け、該ウエイトバーを延出させて該延出部に隣接する他方の巻取り軸を設け、該巻取り軸に巻回される幕体の上端部を天井部分に固定したことを特徴とする。  
本発明による防火スクリーン装置によれば、隣接する一方の巻取り軸は、ウエイトバーの重量を受けることにより正回転又は逆回転し、一方の巻取り軸から幕体が繰り出される。これに追従して、ウエイトバーの延出させた部分に設けられている他方の巻取り軸が正回転又は逆回転し、他方の巻取り軸から幕体が繰り出されることになる。
【００１９】
請求項１０に係る発明は、請求項７に記載の防火スクリーン装置であって、前記各巻取り軸を天井部分に設けるとともに、隣接する一方の巻取り軸に巻回される幕体の下端部にウエイトバーを設けて、該ウエイトバーを延出させて該延出部に折返しローラーを設け、さらに、隣接する他方の巻取り軸に巻回される幕体の下端部を前記折返しローラーを巻回させて天井部分に固定したことを特徴とする。  
本発明による防火スクリーン装置によれば、隣接する一方の巻取り軸は、ウエイトバーの重量を受けることにより正回転又は逆回転し、その一方の巻取り軸から幕体が繰り出される。これに追従して、ウエイトバーの延出させた部分に設けられている折返しローラーを介して他方の巻取り軸が正回転又は逆回転し、他方の巻取り軸から幕体が繰り出されることになる。
【発明の効果】
【００２０】
以上、説明したように、本発明の防火スクリーン装置によれば、隣接する幕体間は、連結手段によって連結された状態で両幕体の繰り出し方向又は巻取り方向に相対的に移動可能となっているので、両幕体間にずれなどが生じることなく、両幕体間を完全に連結して閉塞することができる。従って、遮断対象箇所が大スパンのものであっても、隣接する幕体間を完全に閉塞することができるので、大スパンの遮断対象箇所を完全に遮断することができる。
【００２１】
また、隣接する幕体間は、連結手段によって連結された状態で両幕体の繰り出し方向又は巻取り方向に直交する方向に相対的に回動可能となっているので、遮断対象箇所がコーナー部を含むものであっても、そのコーナー部の角度に両幕体間の連結角度を追従させることができる。従って、遮断対象箇所がコーナー部を含むものであって、両幕体間にずれが生じるようなことはなく、両幕体間を完全に閉塞することができ、遮断対象箇所を完全に閉塞することができる。
【００２２】
さらに、遮断対象箇所が大スパンやコーナー部を含むものであっても、レールポストを設ける必要がないので、空間の自由度が阻害されたり、美観が阻害されたりするようなことはない。
【発明を実施するための最良の形態】
【００２３】
以下、図面を参照しつつ、本発明の実施の形態について説明する。
【００２４】
図１〜図６には、本発明による防火スクリーン装置の第１の実施の形態が示されていて、この防火スクリーン装置１は、建物の通路、空間部分等の遮断箇所のうち、平面部のみからなる大スパンの遮断対象箇所に適用したものである。
【００２５】
すなわち、この防火スクリーン装置１は、遮断対象箇所に対応する天井裏の部分に正逆回転可能に設けられる第１の巻取り軸２及び第２の巻取り軸６と、第１の巻取り軸２の周囲に巻回されてロール状に形成され、第１の巻取り軸２の正回転又は逆回転により、第１の巻取り軸２から繰り出され又は第１の巻取り軸２に巻き取られる第１の幕体３と、第２の巻取り軸６の周囲に巻回されてロール状に形成され、第２の巻取り軸６の正回転又は逆回転により、第２の巻取り軸６から繰り出され又は第２の巻取り軸６に巻き取られる第２の幕体７と、第１の幕体３と第２の幕体７の幅方向の端部間を両幕体３、７の繰り出しに追従して順次連結し、両幕体３、７の巻取りに追従して順次分離させる連結手段１０とを備えている。本実施例では、幕体の繰り出し方向、巻き取り方向をそれぞれ巻取り軸の正回転、逆回転とする。
【００２６】
第１の幕体３及び第２の幕体７は、可撓性を有するとともに、不燃性、耐火性に優れた特性を有する素材からなるものであって、ガラス繊維等からなる織布、シリカクロス等からなる布等を素材としてシート状に形成され、それぞれ一端側（上端側）から第１の巻取り軸２及び第２の巻取り軸６の周囲に巻回されてロール状に形成されている。
【００２７】
第１の幕体３及び第２の幕体７の他端部（下端部）には、図２及び図３に示すように、ウエイトバー４、８がそれぞれ水平に設けられ、両ウエイトバー４、８間は溶接、ねじ等により一体に連結されている。なお、ウエイトバー４、８のように２本のウエイトバーを使用せずに、ウエイトバー４の２本分の幅方向の長さを有する１本のウエイトバーを第１の幕体３及び第２の幕体７の他端部（下端部）に垂設することも可能である。第１の幕体３及び第２の幕体７は、両ウエイトバー４、８の重量を受けて第１の巻取り軸２及び第２の巻取り軸６が正回転することにより、第１の巻取り軸２及び第２の巻取り軸６から下方に繰り出される。
【００２８】
第１の巻取り軸２及び第２の巻取り軸６は、図１及び図２に示すように、遮断対象箇所に対応する天井裏の部分に設けられている箱体状のケース１３内にブラケット１５を介して正逆回転可能に設けられ、第１の巻取り軸２及び第２の巻取り軸６の周囲に巻回されている第１の幕体３及び第２の幕体７は、ケース１３の下端部の開口部１４を介して第１の巻取り軸２及び第２の巻取り軸６から下方に繰り出され、又は遮断対象箇所から開口部１４を介してケース１３内の第１の巻取り軸２及び第２の巻取り軸６の周囲に巻き取られる。
【００２９】
第１の巻取り軸２及び第２の巻取り軸６は、軸線が水平かつ互いに平行となるように、かつ軸方向の一端部が近接するように、ケース１３内に設けられている。第１の巻取り軸２及び第２の巻取り軸６は、それぞれ別個の駆動源５、９に連結され、各駆動源５、９の作動により正逆回転するように構成されている。
【００３０】
第１の巻取り軸２及び第２の巻取り軸６の駆動源５、９としては、例えば、電磁クラッチ付きのモータが挙げられ、通常時には、電磁クラッチを作動させた状態として、第１の巻取り軸２及び第２の巻取り軸６の周囲に第１の幕体３及び第２の幕体７を巻回した状態に保持し、火災等の非常時には、電磁クラッチの作動を解除して、ウエイトバー４、８の重量により第１の巻取り軸２及び第２の巻取り軸６を正回転させることにより、第１の巻取り軸２及び第２の巻取り軸６から第１の幕体３及び第２の幕体７が繰り出される。
【００３１】
連結手段１０は、図３〜図６に示すように、第１の幕体３の幅方向の一端部に長手方向に沿って所定の間隔ごとに一体に設けられる雌部１１と、第２の幕体７の幅方向の一端部に長手方向に沿って所定の間隔ごとに設けられるとともに、第１の幕体３の雌部１１と嵌合可能な雄部１２とから構成されている。
【００３２】
連結手段１０の雌部１１は、Ｃ形状をなすものであって、開口部が外方を向くように、第１の幕体３の幅方向の一端部に一体に設けられる。また、連結手段１０の雄部１２は、球形状をなすものであって、第２の幕体７の幅方向の一端部に第１の幕体３の各雌部１１の開口部と対向するように一体に設けられる。雌部１１及び雄部１２は、耐火性又は難燃性を有する素材（金属又は合成樹脂等）から形成される。難燃性の素材を使用する場合においては、防火布等で保護する。
【００３３】
連結手段１０の隣接する雌部１１、１１の間隔は雄部１２の直径よりも小さく設定され、各雌部１１の内側に各雄部１２を嵌合させたときに、隣接する雌部１１、１１間から各雄部１２が抜け出るのが防止される。
【００３４】
連結手段１０の各雄部１２と各雌部１１とは、図６に示すように、各雌部１１の内側に各雄部１２を嵌合させた状態で、各雌部１１と各雄部１２との間に、第１の幕体３及び第２の幕体７の幅方向、長手方向、及び厚み方向に所定の間隙が形成されるように、各雌部１１及び各雄部１２の寸法が設定される。そして、このように各雌部１１及び各雄部１２の寸法を設定することにより、各雌部１１と各雄部１２とが第１の幕体３及び第２の幕体７の繰り出し方向（又は巻取り方向）に相対的に移動可能、及び繰り出し方向（又は巻取り方向）と直交する方向に相対的に回動可能となるものである。
【００３５】
なお、雌部１１及び雄部１２の形状は、Ｃ形状と球形状との組合せに限らず、図７に示すように、雌部１１を内部に菱形状の空所を有する形状に形成し、雄部１２を雌部１１の菱形状の空所内に嵌合可能な菱形状に形成しても良いし、その他の形状としても良い。要は、雌部１１の内側に雄部１２を嵌合させたときに、雌部１１と雄部１２との間に、第１の幕体３及び第２の幕体７の幅方向、長手方向、及び厚み方向に所定の間隙が形成される形状、寸法であれば良い。
【００３６】
また、雌部１１及び雌部１２は、図８に示すように、第１の幕体３の幅方向の端部の表面側に雌部１１を設け、第２の幕体７の幅方向の端部の裏面側に雄部１２を設け、この雄部１２と雌部１１とを第１の幕体３及び第２の幕体７の厚み方向から嵌合させるように構成しても良い。この場合にも、図９に示すように、雌部１１を内部に菱形状の空所を有する形状に形成し、雄部１２を雌部１１の菱形状の空所内に嵌合可能な菱形状に形成しても良い。
【００３７】
さらに、雄部１２は、図示はしないが、カプセル状に形成しても良い。この場合にも、雄部１２の長さを隣接する雌部１１、１１間の間隔よりも長く設定し、隣接する雌部１１、１１間から雄部１２が抜け出るのを防止するように構成するのは勿論のことである。
【００３８】
天井裏のケース１３の下端開口部１４の周縁部には、図２に示すように、一対の案内板１６、１６が門形状に立設され、両案内板１６、１６間にブラケット１７を介してスライダー１８が固定される。スライダー１８の内部にはＹ字通路が設けられ（図示せず）、このＹ字通路内を連結手段１０の雌部１１及び雄部１２が下方又は上方に相対的に移動可能に構成される。
【００３９】
また上記では、雌部１１、１１間、雄部１２、１２間がそれぞれ間隔を空けて配置するとしたが、繰り出し方向に相対的に移動可能な性質を保持しつつ、巻取り可能、かつ嵌合可能であれば隙間を空けること無く、一体的（線状）になっていても良い。
【００４０】
図３に示すように、第１の幕体３及び第２の幕体７が繰り出される際は、スライダー１８のＹ字通路内を連結手段１０の雌部１１及び雄部１２が下方へ相対的に移動することにより、雌部１１と雄部１２とが相互に嵌合されて第１の幕体３と第２の幕体７との間が連結され、また、第１の幕体３及び第２の幕体７が巻き取られる際は、連結手段１０の雌部１１及び雄部１２が上方へ相対的に移動することにより、雌部１１と雄部１２との嵌合状態が解除されて、第１の幕体３と第２の幕体７との間が分離する。なお、１９は、第１の幕体３及び第２の幕体７のスライダー１８への噛み込みを防止するための金属又は合成樹脂からなる分岐金具である。
【００４１】
上記のように構成したこの実施の形態による防火スクリーン装置１にあっては、通常時は、第１の巻取り軸２及び第２の巻取り軸６に第１の幕体３及び第２の幕体７が巻き取られた状態にあり、第１の幕体３及び第２の幕体７の下端部のウエイトバー４、８が天井部分に位置している。
【００４２】
そして、火災等が発生したときには、その信号を検出することにより、第１の巻取り軸２及び第２の巻取り軸６を制動している電磁クラッチの作動が解除され、ウエイトバー４、８の重量を受けて第１の巻取り軸２及び第２の巻取り軸６が正回転し、第１の巻取り軸２及び第２の巻取り軸６から第１の幕体３及び第２の幕体７が繰り出される。
【００４３】
この場合、第１の幕体３の連結手段１０の雌部１１と第２の幕体７の連結手段１０の雄部１２とは、両幕体３、７の繰り出し方向（又は巻取り方向）に相対的に移動可能、及び繰り出し方向（又は巻取り方向）と直交する方向に相対的に回動可能となっているので、両幕体３、７の雄部１２と雌部１１との嵌合位置がずれても、そのずれを雄部１２及び雌部１１が相対的に移動することにより矯正することができる。従って、両幕体３、７間にずれ等が生じることなく、両幕体３、７間が完全に連結されることになる。
【００４４】
そして、ウエイトバー４、８が床面に接触することにより、両幕体３、７の繰り出しが停止され、両幕体３、７によって遮断対象箇所が遮断されることになる。この場合、第１の幕体３と第２の幕体７との接続部分は、連結手段１０の雄部１２と雌部１１との協働によって完全に連結された状態にあるので、遮断対象箇所の全体を完全に遮断することができ、火炎、煙等を完全に遮断することができ、延焼を抑えることができる。
【００４５】
そして、火災等が解消された場合には、第１の巻取り軸２及び第２の巻取り軸６の駆動源５、９を作動させ、第１の巻取り軸２及び第２の巻取り軸６を逆回転させることにより、第１の巻取り軸２及び第２の巻取り軸６に第１の幕体３及び第２の幕体７が巻き取られ、ウエイトバー４、８が初期の天井部分に位置することになる。
【００４６】
上記のように構成したこの実施の形態による防火スクリーン装置１にあっては、第１の幕体３及び第２の幕体７を繰り出して遮断対象箇所を遮断する場合に、連結手段１０の雌部１１と雄部１２とが、ずれ等が生じることなく相互に嵌合されることになるので、第１の幕体３と第２の幕体７との間にずれ等が生じることなく、両幕体３、７間を完全に連結することができることになる。
【００４７】
なお、前記の説明においては、第１の巻取り軸２及び第２の巻取り軸６を天井部分に設け、両巻取り軸２、６から第１の幕体３及び第２の幕体７を下方に繰り出すように構成したが、図示はしないが、第１の巻取り軸２及び第２の巻取り軸６を天井部分に設けるとともに、第１の巻取り軸２から第１の幕体３を下方に繰り出し、その下端部にウエイトバー４を設け、このウエイトバー４を延出させて、その延出させた部分に折返しローラーを回転可能に設け（図示せず）、第２の巻取り軸６から下方に繰り出した第２の幕体７を折返しローラーを巻回させて上方に繰り出し、この第２の幕体７の端部を天井部分に固定するように構成しても良い。この場合、第１の幕体３から繰り出される部分は、第２の幕体７の先端固定部で順次連結手段１０の雌部１１及び雄部１２を介して連結され、かつ、第２の幕体７の折返しローラーを巻回して上方に繰り出された部分が、第１の巻取り軸２から繰り出される第１の幕体３と順次連結手段１０の雌部１１及び雄部１２を介して連結されることになる。
【００４８】
また、図示はしないが、第１の巻取り軸２を天井部分に設けるとともに、第１の巻取り軸２から第１の幕体３を下方に繰り出し、その下端部にウエイトバー４を設け、このウエイトバー４を延出させて、その延出させた部分に第２の巻取り軸６を設け、第２の巻取り軸６から上方に繰り出した第２の幕体７の端部を天井部分に固定するように構成しても良い。これにより、巻き取り時等に、雄部１２、雌部１１の引っ掛かりを軽減できる。この場合、第１の幕体３から繰り出される部分は、第２の幕体７の先端固定部で順次連結手段１０の雌部１１及び雄部１２を介して連結され、かつ、第２の幕体７の上方に繰り出される部分が、第１の巻取り軸２から繰り出される第１の幕体３の部分と順次連結手段１０の雌部１１及び雄部１２を介して連結されることになる。
【００４９】
図１０〜図１４には、第１の実施の形態の防火スクリーン装置の変形例が示されている。
【００５０】
すなわち、図１０に示す防火スクリーン装置１は、第１の幕体３の幅方向の端部、及び第２の幕体７の幅方向の端部にそれぞれ全長に渡って所定の幅のカバー２１、２２を設け、これらのカバー２１、２２によって連結手段１０の雌部１１と雄部１２とを表裏面側から被覆するように構成したものである。
【００５１】
また、図１１に示す防火スクリーン装置１は、第２の幕体７の幅方向の端部の表裏面にそれぞれ全長に渡って所定の幅のカバー２２、２２を設け、これらのカバー２２、２２によって連結手段１０の雌部１１と雄部１２とを表裏面側から被覆するように構成したものである。
【００５２】
そして、図１２に示す防火スクリーン装置１は、第１の幕体３の幅方向の端部の表裏面にそれぞれ全長に渡って所定の幅のカバー２１、２１を設け、各カバー２１の先端部を内方に屈曲させ、これらのカバー２１、２１によって連結手段１０の雌部１１と雄部１２とを表裏面側から被覆するように構成したものである。
【００５３】
さらに、図１３に示す防火スクリーン装置１は、第１の幕体３の幅方向の端部を連結手段１０の雌部１１よりも外方に延出させ、第２の幕体７の幅方向の端部を連結手段１０の雄部１２よりも外方延出させ、これらの延出させた部分で連結手段１０の雌部１１と雄部１２との嵌合部を被覆するように構成したものである。
【００５４】
また、図１４に示す防火スクリーン装置１は、図１３に示す防火スクリーン装置１の延出させた部分の先端部を内方に屈曲させ、これらの屈曲させた部分で連結手段１０の雌部１１と雄部１２との嵌合部を被覆するように構成したものである。
【００５５】
そして、図１５に示す防火スクリーン装置１は、図１３に示す防火スクリーン装置１の延出させた部分の先端部の裏面に全長に渡って所定の幅のカバー２３、２３を設け、これらのカバー２３、２３によって連結手段１０の雌部１１と雄部１２との嵌合部を被覆するように構成したものである。
【００５６】
そして、これらの防火スクリーン装置１にあっても、前述した実施の形態に示すものと同様の作用効果を奏する他に、連結手段１０の雌部１１及び雄部１２を第１の幕体３及び第２の幕体７の表裏面側からカバー２１、２２、２３で被覆し、又は第１の幕体３及び第２の幕体７を延出させた部分で被覆しているので、火炎、煙等を更に効果的に遮断することができる。また、巻き取り時等の引っ掛かりを軽減することができる。
【００５７】
図１６には、本発明による防火スクリーン装置の第２の実施の形態が示されていて、この防火スクリーン装置１は、第１の巻取り軸２と第２の巻取り軸６とを９０°の角度をなすように設け、第１の巻取り軸２の端部に傘歯車２４を設け、第２の巻取り軸６の端部に傘歯車２５を設け、両傘歯車２４、２５を互いに噛合させて第１の巻取り軸２と第２の巻取り軸６とを一体に正逆回転可能に構成したものであって、その他の構成は前記第１の実施の形態に示すものと同様であるので、同一の部分には同一の番号を付してその詳細な説明は省略するものとする。
【００５８】
そして、この実施の形態に示す防火スクリーン装置１にあっても、前記第１の実施の形態に示すものと同様の作用効果を奏する他に、遮断対象箇所が平面部とコーナー部とを組み合わせたものである場合にも、遮断対象箇所を完全に遮断することができる。すなわち、コーナー部に対応する部分に連結手段１０の雌部１１と雄部１２を位置させることにより、雌部１１と雄部１２とが第１の幕体３及び第２の幕体７の繰り出し方向（又は巻取り方向）と直交する方向に相対的に回動可能となるので、コーナー部の角度の大小に係わらず、第１の幕体３及び第２の幕体７との間の連結部の角度をコーナー部の角度に追従させることができ、遮断対象箇所の全体を完全に遮断することができる。
【００５９】
なお、前記各実施の形態においては、第１の幕体３と第２の幕体７の２枚の幕体を使用したが、３枚以上の幕体を使用しても良いものであり、その場合にも同様の作用効果を奏するのは勿論のことである。
【００６０】
これらを複数連結し、出入及び巻取り可能な出入口を設けることで、幕体だけで水平方向に閉塞した空間を形成することが可能である。
【図面の簡単な説明】
【００６１】
【図１】本発明による防火スクリーン装置の第１の実施の形態を示した平面図である。
【図２】図１のＡ−Ａ線断面図である。
【図３】図２のＢ矢視図である。
【図４】連結手段の雌部と雄部との関係を示した部分斜視図であって、雌部と雄部とが離間した状態を示した説明図である。
【図５】図４の連結手段の雌部と雄部とが嵌合した状態を示した部分正面図である。
【図６】連結手段の雌部と雄部とが嵌合した状態を示した概略断面図である。
【図７】第１の実施の形態のスクリーン装置の変形例を示した概略部分断面図である。
【図８】第１の実施の形態の防火スクリーン装置の変形例を示した概略部分断面図である。
【図９】第１の実施の形態の防火スクリーン装置の変形例を示した概略部分断面図である。
【図１０】第１の実施の形態の防火スクリーン装置の変形例を示した概略部分断面図である。
【図１１】第１の実施の形態の防火スクリーン装置の変形例を示した概略部分断面図である。
【図１２】第１の実施の形態の防火スクリーン装置の変形例を示した概略部分断面図である。
【図１３】第１の実施の形態の防火スクリーン装置の変形例を示した概略部分断面図である。
【図１４】第１の実施の形態の防火スクリーン装置の変形例を示した概略部分断面図である。
【図１５】第１の実施の形態の防火スクリーン装置の変形例を示した概略部分断面図である。
【図１６】本発明による防火スクリーン装置の第２の実施の形態を示した平面図である。
【符号の説明】
【００６２】
１  防火スクリーン装置
２  第１の巻取り軸
３  第１の幕体
４、８  ウエイトバー
６  第２の巻取り軸
７  第２の幕体
１０  連結手段
１１  雌部
１２  雄部
１８  スライダー
【図１】
2005188149.tif 000003
【図２】
2005188149.tif 000004
【図３】
2005188149.tif 000005
【図４】
2005188149.tif 000006
【図５】
2005188149.tif 000007
【図６】
2005188149.tif 000008
【図７】
2005188149.tif 000009
【図８】
2005188149.tif 000010
【図９】
2005188149.tif 000011
【図１０】
2005188149.tif 000012
【図１１】
2005188149.tif 000013
【図１２】
2005188149.tif 000014
【図１３】
2005188149.tif 000015
【図１４】
2005188149.tif 000016
【図１５】
2005188149.tif 000017
【図１６】
2005188149.tif 000018